(57)【要約】【課題】本発明はラインプリンターを出力ポートとするデータ出力装置を開示した。【解決手段】装置主体、前記装置主体の中に設置されるラインプリンティング装置、前記装置主体の中に設置される切換え装置及び前記装置主体の中に設置される運輸装置を含み、前記ラインプリンティング装置が前記装置主体の中に設置される印刷キャビティを含み、前記印刷キャビティの上端の中には下端が前記印刷キャビティの中まで延伸する作業ブロックが固設され、前記作業ブロックの中には開口が下向きの第一凹溝が設置され；本装置が外部からのデータソースを受け入れ、またそれをプリンタに入力し、最後にデータソースを紙に出力することができ、本装置がデータを出力するとき、フルライン印刷ができ、データ出力の効率を高め、印刷完了した後に本装置が紙を自動的に送り出すことができ、使用者にとって便利である。【選択図】図１
2020070192.tif 000002
【特許請求の範囲】
【請求項１】
装置主体、前記装置主体の中に設置されるラインプリンティング装置、前記装置主体の中に設置される切換え装置及び前記装置主体の中に設置される運輸装置を含み、前記ラインプリンティング装置が前記装置主体の中に設置される印刷キャビティを含み、前記印刷キャビティの上端の中には下端が前記印刷キャビティの中まで延伸する作業ブロックが固設され、前記作業ブロックの中には開口が下向きの第一凹溝が設置され、前記第一凹溝の中には上下にスライドできる第一スライドブロックが設置され、前記第一スライドブロックの下端にラインプリンティングブロックが固定的に接続され、前記第一凹溝の左右側内壁の中には開口が向かい合う第一ガイドスライド溝が対称的に設置され、前記第一スライドブロックの左右端には前記第一ガイドスライド溝の中まで延伸する第一ガイドスライドブロックが固定的に接続され、前記第一スライドブロックの中には開口が上向きのねじ溝が設置され、前記印刷キャビティの上側内壁の中に第一スライドキャビティが設置され、前記ねじ溝の中には上端が前記第一スライドキャビティの中まで延伸し且つ回転できる第一ねじボルトが係合接続され、前記第一スライドキャビティの下側内壁の中には開口が上向きの第二凹溝が設置され、前記第二凹溝の左側内壁の中に第一モータが固設され、前記第一モータの右端には前記第二凹溝の中まで延伸する第一回転軸が動力で係合接続され、前記第一回転軸の右端には回転できる第一歯車が固定的に接続され、前記第一歯車の上端には回転できる第二歯車が噛合係合接続され、前記第二歯車の軸心には回転できる第二回転軸が固定的に接続され、前記第二回転軸のうち前記第二歯車の右側には回転できる第三歯車が固定的に接続され、前記第三歯車の下端には前記第一ねじボルトと固定的に接続される第四歯車が噛合係合接続され、前記印刷キャビティの下側に伝動キャビティが連通設置され、前記伝動キャビティの左側内壁の中には左右貫通する第一スルーホールが設置され、前記伝動キャビティの中には水平のように配列され且つ回転できる四つのプーリが設置され、前記プーリの間がベルトにより動力で係合接続され、前記プーリの軸心に回転できる第三回転軸が固定的に接続され、最左側にある前記第三回転軸と前記伝動キャビティの後側内壁の中に固定されるモータとが動力で係合接続され、前記切換え装置が前記伝動キャビティの下側内壁の中に設置される開口が上向きの紙収納溝を含み、前記紙収納溝の右側内壁の中には左右に貫通する第二スルーホールが設置され、前記第二スルーホールと前記第一スライドキャビティとの間に第三スルーホールが連通設置され、前記第三スルーホールの中には上下にスライドでき且つ下端が前記第二スルーホールの中まで延伸する第二スライドブロックが設置され、前記第三スルーホールの左側内壁の中には開口が右向きの第三凹溝が設置され、前記第三凹溝の下側内壁の中に第二モータが固設され、前記第二モータの上端には前記第三凹溝の中まで延伸する第二ねじボルトが動力で係合接続され、前記第二ねじボルトには上下にスライドでき且つ右端が前記第二スライドブロックと固定的に接続される第三スライドブロックが螺合接続され、前記第一スライドキャビティの右側には右端が前記第二スライドブロックと係合でき且つ左端が前記第二回転軸と回転で固定的に接続される左右にスライドできる第四スライドブロックが設置され、前記第一スライドキャビティの上下側内壁の中に第二ガイドスライド溝が対称的に設置され、前記第四スライドブロックの上下端には前記第二ガイドスライド溝の中まで延伸する第二ガイドスライドブロックが固定的に接続され、前記第二ガイドスライドブロックの左端に戻しばねが固定的に接続され、前記第二回転軸の右端には前記第一スライドキャビティの中に左右にスライドできる第五スライドブロックが回転で固定的に接続され、前記第二回転軸のうち前記第二歯車の左側に位置する部分には回転できる第五歯車が固定的に接続され、前記第一回転軸のうち前記第一歯車の左側に位置する部分には前記第二歯車と噛合できる第六歯車が固定的に接続され、前記第一スライドキャビティの中には前記第五歯車と噛合できる第七歯車が設置され、前記第七歯車の後端に回転できる第八歯車が噛合係合接続され、前記第八歯車の軸心に回転できる第四回転軸が固定的に接続され、前記運輸装置が前記紙収納溝の下側内壁の中に設置される開口が上向きの第四凹溝を含み、前記第四凹溝の左側内壁の中に回転キャビティが設置され、前記回転キャビティの中には回転できる第五回転軸が設置され、前記第五回転軸の後端と前記第四回転軸の後端とがベルトにより動力で係合接続され、前記第五回転軸には回転できる第九歯車が固定的に接続され、前記第九歯車の右端には回転できる第十歯車が噛合係合接続され、前記第十歯車の軸心には前記第四凹溝の中まで延伸する第三ねじボルトが固定的に接続され、前記第三ねじボルトには左右にスライドできる第六スライドブロックが螺合接続され、前記第三ねじボルトのうち前記第六スライドブロックの右側に位置する部分には左右にスライドできる第七スライドブロックが螺合接続され、前記紙収納溝の中には左右にスライドでき且つ下端が前記第六スライドブロック及び前記第七スライドブロックと固定的に接続される第八スライドブロックが設置され、前記印刷キャビティの右側内壁の中にデータ受信ブロックが固設され、前記データ受信ブロックが外部からのデータを受信でき、それからデータを前記ラインプリンティングブロックに出力し、これによりラインプリンティングブロックを紙にフルライン印刷を行わせることを特徴とするラインプリンターを出力ポートとするデータ出力装置である。
【発明の詳細な説明】
【技術分野】
【０００１】
本発明はデータ転送技術分野を取り上げて、具体的にはラインプリンターを出力ポートとするデータ出力装置である。
【背景技術】
【０００２】
ラインプリンターは専門のインパクトプリンターであり、報告書、日誌などの文書を印刷するために使用され、ラインプリンターのピンは一列に並んでおり、幅は最大印刷幅と同じであり、最大の特徴は、印刷速度が速いことであり、短時間で大量の印刷を完了できるが、一般的なデータ出力装置のデータ受信能力がデータ出力能力より非常に高く、人々のニーズに大きく影響し、人々に読めるように紙に出力することはできないため、外部データ源を受け入れ、プリンターに入力し、最後にデータ源を紙に出力し、データ出力効率を高めるデータ出力装置が必要であり、したがって、改善する必要がある。
【先行技術文献】
【特許文献】
【０００３】
【特許文献１】中国特許出願公開第105677278号明細書
【発明の概要】
【発明が解決しようとする課題】
【０００４】
本発明の目的はラインプリンターを出力ポートとするデータ出力装置を提供し、それは上記の現在の技術中の問題を解決できる。
【課題を解決するための手段】
【０００５】
本発明の実施例によるラインプリンターを出力ポートとするデータ出力装置は、装置主体、前記装置主体の中に設置されるラインプリンティング装置、前記装置主体の中に設置される切換え装置及び前記装置主体の中に設置される運輸装置を含み、前記ラインプリンティング装置が前記装置主体の中に設置される印刷キャビティを含み、前記印刷キャビティの上端の中には下端が前記印刷キャビティの中まで延伸する作業ブロックが固設され、前記作業ブロックの中には開口が下向きの第一凹溝が設置され、前記第一凹溝の中には上下にスライドできる第一スライドブロックが設置され、前記第一スライドブロックの下端にラインプリンティングブロックが固定的に接続され、前記第一凹溝の左右側内壁の中には開口が向かい合う第一ガイドスライド溝が対称的に設置され、前記第一スライドブロックの左右端には前記第一ガイドスライド溝の中まで延伸する第一ガイドスライドブロックが固定的に接続され、前記第一スライドブロックの中には開口が上向きのねじ溝が設置され、前記印刷キャビティの上側内壁の中に第一スライドキャビティが設置され、前記ねじ溝の中には上端が前記第一スライドキャビティの中まで延伸し且つ回転できる第一ねじボルトが係合接続され、前記第一スライドキャビティの下側内壁の中には開口が上向きの第二凹溝が設置され、前記第二凹溝の左側内壁の中に第一モータが固設され、前記第一モータの右端には前記第二凹溝の中まで延伸する第一回転軸が動力で係合接続され、前記第一回転軸の右端には回転できる第一歯車が固定的に接続され、前記第一歯車の上端には回転できる第二歯車が噛合係合接続され、前記第二歯車の軸心には回転できる第二回転軸が固定的に接続され、前記第二回転軸のうち前記第二歯車の右側には回転できる第三歯車が固定的に接続され、前記第三歯車の下端には前記第一ねじボルトと固定的に接続される第四歯車が噛合係合接続され、前記印刷キャビティの下側に伝動キャビティが連通設置され、前記伝動キャビティの左側内壁の中には左右貫通する第一スルーホールが設置され、前記伝動キャビティの中には水平のように配列され且つ回転できる四つのプーリが設置され、前記プーリの間がベルトにより動力で係合接続され、前記プーリの軸心に回転できる第三回転軸が固定的に接続され、最左側にある前記第三回転軸と前記伝動キャビティの後側内壁の中に固定されるモータとが動力で係合接続される。
【０００６】
更の技術プラン、前記切換え装置が前記伝動キャビティの下側内壁の中に設置される開口が上向きの紙収納溝を含み、前記紙収納溝の右側内壁の中には左右に貫通する第二スルーホールが設置され、前記第二スルーホールと前記第一スライドキャビティとの間に第三スルーホールが連通設置され、前記第三スルーホールの中には上下にスライドでき且つ下端が前記第二スルーホールの中まで延伸する第二スライドブロックが設置され、前記第三スルーホールの左側内壁の中には開口が右向きの第三凹溝が設置され、前記第三凹溝の下側内壁の中に第二モータが固設され、前記第二モータの上端には前記第三凹溝の中まで延伸する第二ねじボルトが動力で係合接続され、前記第二ねじボルトには上下にスライドでき且つ右端が前記第二スライドブロックと固定的に接続される第三スライドブロックが螺合接続され、前記第一スライドキャビティの右側には右端が前記第二スライドブロックと係合でき且つ左端が前記第二回転軸と回転で固定的に接続される左右にスライドできる第四スライドブロックが設置され、前記第一スライドキャビティの上下側内壁の中に第二ガイドスライド溝が対称的に設置され、前記第四スライドブロックの上下端には前記第二ガイドスライド溝の中まで延伸する第二ガイドスライドブロックが固定的に接続され、前記第二ガイドスライドブロックの左端に戻しばねが固定的に接続され、前記第二回転軸の右端には前記第一スライドキャビティの中に左右にスライドできる第五スライドブロックが回転で固定的に接続され、前記第二回転軸のうち前記第二歯車の左側に位置する部分には回転できる第五歯車が固定的に接続され、前記第一回転軸のうち前記第一歯車の左側に位置する部分には前記第二歯車と噛合できる第六歯車が固定的に接続され、前記第一スライドキャビティの中には前記第五歯車と噛合できる第七歯車が設置され、前記第七歯車の後端に回転できる第八歯車が噛合係合接続され、前記第八歯車の軸心に回転できる第四回転軸が固定的に接続される。
【０００７】
更の技術プラン、前記運輸装置が前記紙収納溝の下側内壁の中に設置される開口が上向きの第四凹溝を含み、前記第四凹溝の左側内壁の中に回転キャビティが設置され、前記回転キャビティの中には回転できる第五回転軸が設置され、前記第五回転軸の後端と前記第四回転軸の後端とがベルトにより動力で係合接続され、前記第五回転軸には回転できる第九歯車が固定的に接続され、前記第九歯車の右端には回転できる第十歯車が噛合係合接続され、前記第十歯車の軸心には前記第四凹溝の中まで延伸する第三ねじボルトが固定的に接続され、前記第三ねじボルトには左右にスライドできる第六スライドブロックが螺合接続され、前記第三ねじボルトのうち前記第六スライドブロックの右側に位置する部分には左右にスライドできる第七スライドブロックが螺合接続され、前記紙収納溝の中には左右にスライドでき且つ下端が前記第六スライドブロック及び前記第七スライドブロックと固定的に接続される第八スライドブロックが設置される。
【０００８】
更の技術プラン、前記印刷キャビティの右側内壁の中にデータ受信ブロックが固設され、前記データ受信ブロックが外部からのデータを受信でき、それからデータを前記ラインプリンティングブロックに出力し、これによりラインプリンティングブロックを紙にフルライン印刷を行わせる。
【発明の効果】
【０００９】
本発明の有益な効果は下記の通りである。本発明の構造が簡単で、操作が便利で、本装置を使用するとき、第一スルーホールの中に印刷待ちの紙を入れ、最左側の第三回転軸の後端のモータを起動し、最左側の第三回転軸が回転し最左側のプーリを駆動し回転させ、最左側のプーリがベルトによりその他のプーリを駆動し回転させ、紙をラインプリンティングブロックの下側の位置合わせるところまで伝達し、このときデータ受信ブロックが先に受信したデータをラインプリンティングブロックに送信し、第一モータを起動し、第一モータが第一回転軸を駆動し回転させ、第一回転軸が第一歯車を駆動し回転させ、第一歯車が第二歯車を駆動し回転させ、第二歯車が第二回転軸を駆動し回転させ、第二回転軸が第三歯車を駆動し回転させ、第三歯車が第四歯車を駆動し回転させ、第四歯車が第一ねじボルトを駆動し回転させ、第一ねじボルトが回転し第一スライドブロックを駆動し下にスライドさせ、第一スライドブロックがラインプリンティングブロックを駆動し印刷位置まで下にスライドさせ、ラインプリンティングブロックを開け、ラインプリンティングブロックが受信したデータを紙に出力し、一つの行を印刷した後、紙を右にスライドさせ、印刷完了までもう一度印刷し、プーリが紙を紙収納溝の中の第八スライドブロックに続けて伝送し、紙を再び入れると印刷が繰り返され、紙収納溝の中の紙が満杯になる場合、第二モータを起動し、第二モータが第二ねじボルトを駆動し回転させ、第二ねじボルトが第三スライドブロックを駆動し上にスライドさせ、第三スライドブロックが第二スライドブロックを駆動し上にスライドさせ、第二スライドブロックが第四スライドブロックを押し左にスライドさせ、第四スライドブロックが左にスライドし第三歯車と第四歯車とを噛合状態から離脱させ、第二歯車と第一歯車とが噛合を離れ、第二歯車が第六歯車に噛合し、第五歯車が第七歯車に噛合し、第一モータを起動し、第一モータが第一回転軸を駆動し回転させ、第一回転軸が第六歯車を駆動し回転させ、第六歯車が第二歯車を駆動し回転させ、第二歯車が第二回転軸を駆動し回転させ、第二回転軸が第五歯車を駆動し回転させ、第五歯車が第七歯車を駆動し回転させ、第七歯車が第八歯車を駆動し回転させ、第八歯車が第四回転軸を駆動し回転させ、第四回転軸が第五回転軸を駆動し回転させ、第五回転軸が第九歯車を駆動し回転させ、第九歯車が第十歯車を駆動し回転させ、第十歯車が第三ねじボルトを駆動し回転させ、第三ねじボルトが回転し第六スライドブロック及び第七スライドブロックを駆動し同時に右にスライドさせ、第六スライドブロック及び第七スライドブロックが第八スライドブロックを駆動してその上に置かれた紙と一緒に第二スルーホールの右側開口まで右にスライドさせ、紙を取り出し、第一モータを反転させ第八スライドブロックをリセットさせ、また第二モータを反転させ第二スライドブロックをリセットさせると再び印刷することができ、本装置が外部からのデータソースを受け入れ、またそれをプリンタに入力し、最後にデータソースを紙に出力することができ、本装置がデータを出力するとき、フルライン印刷ができ、データ出力の効率を高め、印刷完了した後に本装置が紙を自動的に送り出すことができ、使用者にとって便利である。
【図面の簡単な説明】
【００１０】
【図１】図1は本発明のラインプリンターを出力ポートとするデータ出力装置の内部全体構成略図である；
【図２】図2は本発明の「A-A」方向の断面図である。
【発明を実施するための形態】
【００１１】
下記に図1〜2をあわせて本発明について詳しく説明し、便利に説明するために、下記の方向を以下のように規定する：以下に述べる上下左右前後の方向と図1の上下左右前後の方向とが一致である。
【００１２】
図1〜2が示すように、本発明の実施例によるラインプリンターを出力ポートとするデータ出力装置は、装置主体10、前記装置主体10の中に設置されるラインプリンティング装置、前記装置主体10の中に設置される切換え装置及び前記装置主体10の中に設置される運輸装置を含み、前記ラインプリンティング装置が前記装置主体10の中に設置される印刷キャビティ33を含み、前記印刷キャビティ33の上端の中には下端が前記印刷キャビティ33の中まで延伸する作業ブロック22が固設され、前記作業ブロック22の中には開口が下向きの第一凹溝27が設置され、前記第一凹溝27の中には上下にスライドできる第一スライドブロック28が設置され、前記第一スライドブロック28の下端にラインプリンティングブロック32が固定的に接続され、前記第一凹溝27の左右側内壁の中には開口が向かい合う第一ガイドスライド溝30が対称的に設置され、前記第一スライドブロック28の左右端には前記第一ガイドスライド溝30の中まで延伸する第一ガイドスライドブロック31が固定的に接続され、前記第一スライドブロック28の中には開口が上向きのねじ溝29が設置され、前記印刷キャビティ33の上側内壁の中に第一スライドキャビティ44が設置され、前記ねじ溝29の中には上端が前記第一スライドキャビティ44の中まで延伸し且つ回転できる第一ねじボルト24が係合接続され、前記第一スライドキャビティ44の下側内壁の中には開口が上向きの第二凹溝47が設置され、前記第二凹溝47の左側内壁の中に第一モータ45が固設され、前記第一モータ45の右端には前記第二凹溝47の中まで延伸する第一回転軸46が動力で係合接続され、前記第一回転軸46の右端には回転できる第一歯車34が固定的に接続され、前記第一歯車34の上端には回転できる第二歯車35が噛合係合接続され、前記第二歯車35の軸心には回転できる第二回転軸38が固定的に接続され、前記第二回転軸38のうち前記第二歯車35の右側には回転できる第三歯車26が固定的に接続され、前記第三歯車26の下端には前記第一ねじボルト24と固定的に接続される第四歯車25が噛合係合接続され、前記印刷キャビティ33の下側に伝動キャビティ49が連通設置され、前記伝動キャビティ49の左側内壁の中には左右貫通する第一スルーホール48が設置され、前記伝動キャビティ49の中には水平のように配列され且つ回転できる四つのプーリ50が設置され、前記プーリ50の間がベルトにより動力で係合接続され、前記プーリ50の軸心に回転できる第三回転軸51が固定的に接続され、最左側にある前記第三回転軸51と前記伝動キャビティ49の後側内壁の中に固定されるモータとが動力で係合接続される。
【００１３】
有益なまた例を示すように、前記切換え装置が前記伝動キャビティ49の下側内壁の中に設置される開口が上向きの紙収納溝52を含み、前記紙収納溝52の右側内壁の中には左右に貫通する第二スルーホール11が設置され、前記第二スルーホール11と前記第一スライドキャビティ44との間に第三スルーホール17が連通設置され、前記第三スルーホール17の中には上下にスライドでき且つ下端が前記第二スルーホール11の中まで延伸する第二スライドブロック14が設置され、前記第三スルーホール17の左側内壁の中には開口が右向きの第三凹溝16が設置され、前記第三凹溝16の下側内壁の中に第二モータ12が固設され、前記第二モータ12の上端には前記第三凹溝16の中まで延伸する第二ねじボルト15が動力で係合接続され、前記第二ねじボルト15には上下にスライドでき且つ右端が前記第二スライドブロック14と固定的に接続される第三スライドブロック13が螺合接続され、前記第一スライドキャビティ44の右側には右端が前記第二スライドブロック14と係合でき且つ左端が前記第二回転軸38と回転で固定的に接続される左右にスライドできる第四スライドブロック18が設置され、前記第一スライドキャビティ44の上下側内壁の中に第二ガイドスライド溝19が対称的に設置され、前記第四スライドブロック18の上下端には前記第二ガイドスライド溝19の中まで延伸する第二ガイドスライドブロック20が固定的に接続され、前記第二ガイドスライドブロック20の左端に戻しばね21が固定的に接続され、前記第二回転軸38の右端には前記第一スライドキャビティ44の中に左右にスライドできる第五スライドブロック43が回転で固定的に接続され、前記第二回転軸38のうち前記第二歯車35の左側に位置する部分には回転できる第五歯車37が固定的に接続され、前記第一回転軸46のうち前記第一歯車34の左側に位置する部分には前記第二歯車35と噛合できる第六歯車36が固定的に接続され、前記第一スライドキャビティ44の中には前記第五歯車37と噛合できる第七歯車41が設置され、前記第七歯車41の後端に回転できる第八歯車42が噛合係合接続され、前記第八歯車42の軸心に回転できる第四回転軸39が固定的に接続される。
【００１４】
有益なまた例を示すように、前記運輸装置が前記紙収納溝52の下側内壁の中に設置される開口が上向きの第四凹溝61を含み、前記第四凹溝61の左側内壁の中に回転キャビティ53が設置され、前記回転キャビティ53の中には回転できる第五回転軸55が設置され、前記第五回転軸55の後端と前記第四回転軸39の後端とがベルトにより動力で係合接続され、前記第五回転軸55には回転できる第九歯車54が固定的に接続され、前記第九歯車54の右端には回転できる第十歯車56が噛合係合接続され、前記第十歯車56の軸心には前記第四凹溝61の中まで延伸する第三ねじボルト57が固定的に接続され、前記第三ねじボルト57には左右にスライドできる第六スライドブロック58が螺合接続され、前記第三ねじボルト57のうち前記第六スライドブロック58の右側に位置する部分には左右にスライドできる第七スライドブロック60が螺合接続され、前記紙収納溝52の中には左右にスライドでき且つ下端が前記第六スライドブロック58及び前記第七スライドブロック60と固定的に接続される第八スライドブロック59が設置される。
【００１５】
有益なまた例を示すように、前記印刷キャビティ33の右側内壁の中にデータ受信ブロック40が固設され、前記データ受信ブロック40が外部からのデータを受信でき、それからデータを前記ラインプリンティングブロック32に出力し、これによりラインプリンティングブロック32を紙にフルライン印刷を行わせる。
【００１６】
本装置を使用するとき、第一スルーホール48の中に印刷待ちの紙を入れ、最左側の第三回転軸51の後端のモータを起動し、最左側の第三回転軸51が回転し最左側のプーリ50を駆動し回転させ、最左側のプーリ50がベルトによりその他のプーリ50を駆動し回転させ、紙をラインプリンティングブロック32の下側の位置合わせるところまで伝達し、このときデータ受信ブロック40が先に受信したデータをラインプリンティングブロック32に送信し、第一モータ45を起動し、第一モータ45が第一回転軸46を駆動し回転させ、第一回転軸46が第一歯車34を駆動し回転させ、第一歯車34が第二歯車35を駆動し回転させ、第二歯車35が第二回転軸38を駆動し回転させ、第二回転軸38が第三歯車26を駆動し回転させ、第三歯車26が第四歯車25を駆動し回転させ、第四歯車25が第一ねじボルト24を駆動し回転させ、第一ねじボルト24が回転し第一スライドブロック28を駆動し下にスライドさせ、第一スライドブロック28がラインプリンティングブロック32を駆動し印刷位置まで下にスライドさせ、ラインプリンティングブロック32を開け、ラインプリンティングブロック32が受信したデータを紙に出力し、一つの行を印刷した後、紙を右にスライドさせ、印刷完了までもう一度印刷し、プーリ50が紙を紙収納溝52の中の第八スライドブロック59に続けて伝送し、紙を再び入れると印刷が繰り返され、紙収納溝52の中の紙が満杯になる場合、第二モータ12を起動し、第二モータ12が第二ねじボルト15を駆動し回転させ、第二ねじボルト15が第三スライドブロック13を駆動し上にスライドさせ、第三スライドブロック13が第二スライドブロック14を駆動し上にスライドさせ、第二スライドブロック14が第四スライドブロック18を押し左にスライドさせ、第四スライドブロック18が左にスライドし第三歯車26と第四歯車25とを噛合状態から離脱させ、第二歯車35と第一歯車34とが噛合を離れ、第二歯車35が第六歯車36に噛合し、第五歯車37が第七歯車41に噛合し、第一モータ45を起動し、第一モータ45が第一回転軸46を駆動し回転させ、第一回転軸46が第六歯車36を駆動し回転させ、第六歯車36が第二歯車35を駆動し回転させ、第二歯車35が第二回転軸38を駆動し回転させ、第二回転軸38が第五歯車37を駆動し回転させ、第五歯車37が第七歯車41を駆動し回転させ、第七歯車41が第八歯車42を駆動し回転させ、第八歯車42が第四回転軸39を駆動し回転させ、第四回転軸39が第五回転軸55を駆動し回転させ、第五回転軸55が第九歯車54を駆動し回転させ、第九歯車54が第十歯車56を駆動し回転させ、第十歯車56が第三ねじボルト57を駆動し回転させ、第三ねじボルト57が回転し第六スライドブロック58及び第七スライドブロック60を駆動し同時に右にスライドさせ、第六スライドブロック58及び第七スライドブロック60が第八スライドブロック59を駆動してその上に置かれた紙と一緒に第二スルーホール11の右側開口まで右にスライドさせ、紙を取り出し、第一モータ45を反転させ第八スライドブロック59をリセットさせ、また第二モータ12を反転させ第二スライドブロック14をリセットさせると再び印刷することができる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020070192.tif 000003
【図２】
2020070192.tif 000004
【手続補正書】
【提出日】令和1年5月3日(2019.5.3)
【手続補正１】
【補正対象書類名】特許請求の範囲
【補正対象項目名】請求項１
【補正方法】変更
【補正の内容】
【請求項１】
装置主体、前記装置主体の中に設置されるラインプリンティング装置、前記装置主体の中に設置される切換え装置及び前記装置主体の中に設置される運輸装置を含み、前記ラインプリンティング装置が前記装置主体の中に設置される印刷キャビティを含み、前記印刷キャビティの上端の中には下端が前記印刷キャビティの中まで延伸する作業ブロックが固設され、前記作業ブロックの中には開口が下向きの第一凹溝が設置され、前記第一凹溝の中には上下にスライドできる第一スライドブロックが設置され、前記第一スライドブロックの下端にラインプリンティングブロックが固定的に接続され、前記第一凹溝の左右側内壁の中には開口が向かい合う第一ガイドスライド溝が対称的に設置され、前記第一スライドブロックの左右端には前記第一ガイドスライド溝の中まで延伸する第一ガイドスライドブロックが固定的に接続され、前記第一スライドブロックの中には開口が上向きのねじ溝が設置され、前記印刷キャビティの上側内壁の中に第一スライドキャビティが設置され、前記ねじ溝の中には上端が前記第一スライドキャビティの中まで延伸し且つ回転できる第一ねじボルトが係合接続され、前記第一スライドキャビティの下側内壁の中には開口が上向きの第二凹溝が設置され、前記第二凹溝の左側内壁の中に第一モータが固設され、前記第一モータの右端には前記第二凹溝の中まで延伸する第一回転軸が動力で係合接続され、前記第一回転軸の右端には回転できる第一歯車が固定的に接続され、前記第一歯車の上端には回転できる第二歯車が噛合係合接続され、前記第二歯車の軸心には回転できる第二回転軸が固定的に接続され、前記第二回転軸のうち前記第二歯車の右側には回転できる第三歯車が固定的に接続され、前記第三歯車の下端には前記第一ねじボルトと固定的に接続される第四歯車が噛合係合接続され、前記印刷キャビティの下側に伝動キャビティが連通設置され、前記伝動キャビティの左側内壁の中には左右貫通する第一スルーホールが設置され、前記伝動キャビティの中には水平のように配列され且つ回転できる四つのプーリが設置され、前記プーリの間がベルトにより動力で係合接続され、前記プーリの軸心に回転できる第三回転軸が固定的に接続され、最左側にある前記第三回転軸と前記伝動キャビティの後側内壁の中に固定されるモータとが動力で係合接続され、前記切換え装置が前記伝動キャビティの下側内壁の中に設置される開口が上向きの紙収納溝を含み、前記紙収納溝の右側内壁の中には左右に貫通する第二スルーホールが設置され、前記第二スルーホールと前記第一スライドキャビティとの間に第三スルーホールが連通設置され、前記第三スルーホールの中には上下にスライドでき且つ下端が前記第二スルーホールの中まで延伸する第二スライドブロックが設置され、前記第三スルーホールの左側内壁の中には開口が右向きの第三凹溝が設置され、前記第三凹溝の下側内壁の中に第二モータが固設され、前記第二モータの上端には前記第三凹溝の中まで延伸する第二ねじボルトが動力で係合接続され、前記第二ねじボルトには上下にスライドでき且つ右端が前記第二スライドブロックと固定的に接続される第三スライドブロックが螺合接続され、前記第一スライドキャビティの右側には右端が前記第二スライドブロックと係合でき且つ左端が前記第二回転軸と回転で固定的に接続される左右にスライドできる第四スライドブロックが設置され、前記第一スライドキャビティの上下側内壁の中に第二ガイドスライド溝が対称的に設置され、前記第四スライドブロックの上下端には前記第二ガイドスライド溝の中まで延伸する第二ガイドスライドブロックが固定的に接続され、前記第二ガイドスライドブロックの左端に戻しばねが固定的に接続され、前記第二回転軸の右端には前記第一スライドキャビティの中に左右にスライドできる第五スライドブロックが回転で固定的に接続され、前記第二回転軸のうち前記第二歯車の左側に位置する部分には回転できる第五歯車が固定的に接続され、前記第一回転軸のうち前記第一歯車の左側に位置する部分には前記第二歯車と噛合できる第六歯車が固定的に接続され、前記第一スライドキャビティの中には前記第五歯車と噛合できる第七歯車が設置され、前記第七歯車の後端に回転できる第八歯車が噛合係合接続され、前記第八歯車の軸心に回転できる第四回転軸が固定的に接続され、前記運輸装置が前記紙収納溝の下側内壁の中に設置される開口が上向きの第四凹溝を含み、前記第四凹溝の左側内壁の中に回転キャビティが設置され、前記回転キャビティの中には回転できる第五回転軸が設置され、前記第五回転軸の後端と前記第四回転軸の後端とがベルトにより動力で係合接続され、前記第五回転軸には回転できる第九歯車が固定的に接続され、前記第九歯車の右端には回転できる第十歯車が噛合係合接続され、前記第十歯車の軸心には前記第四凹溝の中まで延伸する第三ねじボルトが固定的に接続され、前記第三ねじボルトには左右にスライドできる第六スライドブロックが螺合接続され、前記第三ねじボルトのうち前記第六スライドブロックの右側に位置する部分には左右にスライドできる第七スライドブロックが螺合接続され、前記紙収納溝の中には左右にスライドでき且つ下端が前記第六スライドブロック及び前記第七スライドブロックと固定的に接続される第八スライドブロックが設置され、前記印刷キャビティの右側内壁の中にデータ受信ブロックが固設され、前記データ受信ブロックが外部からのデータを受信でき、それからデータを前記ラインプリンティングブロックに出力し、これによりラインプリンティングブロックを紙にフルライン印刷を行わせ、
本装置を使用するとき、前記第一スルーホールの中に印刷待ちの紙を入れ、最左側の前記第三回転軸の後端の前記モータを起動し、最左側の前記第三回転軸が回転し最左側の前記プーリを駆動し回転させ、最左側の前記プーリがベルトによりその他の前記プーリを駆動し回転させ、紙を前記ラインプリンティングブロックの下側の位置合わせるところまで伝達し、このとき前記データ受信ブロックが先に受信したデータを前記ラインプリンティングブロックに送信し、前記第一モータを起動し、前記第一モータが前記第一回転軸を駆動し回転させ、前記第一回転軸が前記第一歯車を駆動し回転させ、前記第一歯車が前記第二歯車を駆動し回転させ、前記第二歯車が前記第二回転軸を駆動し回転させ、前記第二回転軸が前記第三歯車を駆動し回転させ、前記第三歯車が前記第四歯車を駆動し回転させ、前記第四歯車が前記第一ねじボルトを駆動し回転させ、前記第一ねじボルトが回転し前記第一スライドブロックを駆動し下にスライドさせ、前記第一スライドブロックが前記ラインプリンティングブロックを駆動し印刷位置まで下にスライドさせ、前記ラインプリンティングブロックを開け、前記ラインプリンティングブロックが受信したデータを紙に出力し、一つの行を印刷した後、紙を右にスライドさせ、印刷完了までもう一度印刷し、プーリが紙を前記紙収納溝の中の前記第八スライドブロックに続けて伝送し、紙を再び入れると印刷が繰り返され、前記紙収納溝の中の紙が満杯になる場合、前記第二モータを起動し、前記第二モータが前記第二ねじボルトを駆動し回転させ、前記第二ねじボルトが前記第三スライドブロックを駆動し上にスライドさせ、前記第三スライドブロックが前記第二スライドブロックを駆動し上にスライドさせ、前記第二スライドブロックが前記第四スライドブロックを押し左にスライドさせ、前記第四スライドブロックが左にスライドし前記第三歯車と前記第四歯車とを噛合状態から離脱させ、前記第二歯車と前記第一歯車とが噛合を離れ、前記第二歯車が前記第六歯車に噛合し、前記第五歯車が前記第七歯車に噛合し、前記第一モータを起動し、前記第一モータが前記第一回転軸を駆動し回転させ、前記第一回転軸が前記第六歯車を駆動し回転させ、前記第六歯車が前記第二歯車を駆動し回転させ、前記第二歯車が前記第二回転軸を駆動し回転させ、前記第二回転軸が前記第五歯車を駆動し回転させ、前記第五歯車が前記第七歯車を駆動し回転させ、前記第七歯車が前記第八歯車を駆動し回転させ、前記第八歯車が前記第四回転軸を駆動し回転させ、前記第四回転軸が前記第五回転軸を駆動し回転させ、前記第五回転軸が前記第九歯車を駆動し回転させ、前記第九歯車が前記第十歯車を駆動し回転させ、前記第十歯車が前記第三ねじボルトを駆動し回転させ、前記第三ねじボルトが回転し前記第六スライドブロック及び前記第七スライドブロックを駆動し同時に右にスライドさせ、前記第六スライドブロック及び前記第七スライドブロックが前記第八スライドブロックを駆動してその上に置かれた紙と一緒に前記第二スルーホールの右側開口まで右にスライドさせ、紙を取り出し、前記第一モータを反転させ前記第八スライドブロックをリセットさせ、また前記第二モータを反転させ前記第二スライドブロックをリセットさせると再び印刷することができることを特徴とするラインプリンターを出力ポートとするデータ出力装置。